(57)【要約】      （修正有）【課題】野外でも安定した状態で使うことのできる携帯型ガスボンベの固定脚を提供する。【解決手段】ガスボンベの底の周縁部のでっぱりと噛み合うような凹みを持つ、三本又は四本の脚をボンベの中心軸上でピン接合したものである。畳んだ状態で全ての脚がボンベの底の周縁部のでっぱりに噛み合った状態にし、噛み合いを維持しつつ放射状に脚を開く事によって、ボンベと一体化して安定性を確保できる。また、畳む事が可能なので携行性にもすぐれている。【選択図】図１
0003144357.tif 000002
【実用新案登録請求の範囲】
【請求項１】
ガスボンベの底の周縁部のでっぱりと噛み合う凹みを有する三本または四本の脚を、ボンベの中心軸上でピン接合し、ボンベとの噛み合いを維持しながら放射状に開くことのできる構造をもつガスボンベの固定脚。
【考案の詳細な説明】
【技術分野】
【０００１】  本考案は、携帯型ガスボンベを使用する際に、その安定性を向上させるための器具に関する。
【背景技術】
【０００２】  キャンプや登山・ハイキングなどでお湯を沸かしたり鍋を作ったりする際には、携帯型ガスボンベにバーナーを取り付け、その上に鍋・やかん等を載せて過熱する方式が一般的です。この時、全体の安定性はガスボンベの底面が設置面とガタツキなくぴったりと水平に置かれているかどうかに係っています。野外では平らな設置面は少ない訳ですから、ガタツキを押さえるためにボンベの底に小石や小枝を挟んだりしてガタツキを無くすようにして安定性を確保しているのが現状です。大きな鍋等を載せた場合は全体として縦長で頭でっかちの状態となりますので安定性が悪くなりがちです。単にガタツキを無くすだけでは不十分で、水平を保つ必要もありますので、これをボンベの丸い小さな底面に何かを挟んで解決しようとするには限界があります。ハイキングなどにいくと、かなり危なっかしい状態でお湯をわかしている人を多く見かけます。この安定性確保のために、ひとまわり大きな台にボンベの底面を嵌め込んで問題を解決しようとする製品もありますが、携帯性に優れないせいか見かけることは少ないようです。バーナーの種類によっては、ガスボンベとコンロを直接取り付けるのではなくホースを介して接合し、コンロを地面に設置して使用するタイプのものもあります。これは安定性の問題は解決しておりますが、多数派というわけではありません。
【考案の開示】
【０００３】  本考案は、形態型ガスボンベの底の周縁の部分のでっぱりと噛み合うような凹みを持つ脚三本ないし四本を、ボンベの中心軸上でピン接合し、噛み合った状態で放射状に広げることによってボンベと一体化し、ボンベの底から脚が放射状に伸びた形となることによって安定性を向上させ、かつ携行時にはコンパクトに畳める構造としたものです。
【考案が解決しようとする課題】
【０００４】  登山などでお湯を沸かしたりする際に用いられる携帯型のガスボンベは、直径１１センチ弱のものが多く利用されております。高さは大きなサイズで１４センチ位ですので、その上にバーナーを取り付けると、バーナーの種類にもよりますが２０センチを超えます。４・５人用の鍋のサイズを直径１８センチ・高さ１２センチ位としても、それを上に乗せた場合には縦横比が３倍近くなり、屋内でもかなり安定性は良くありません。それを野外で行う場合には、さらに安定性確保の必要が生じます。ガタツキを押さえたり水平を保つために小石や小枝を挟んで調整する訳ですが、底面が浮いている方向では実質的には縦横比が大きくなり、見かけ以上に安定性の悪い状態になります。
【０００５】  また、カセットコンロ用のガスボンベに直接取り付ける携帯用のランタンも多くの登山者に利用されておりますが、ガスボンベ自体の径が小さく縦長ですので、ちょっと触っただけでも転倒する危険性があります。テントの中でヒヤリとした方も多いと思われます。
【課題を解決するための手段】
【０００６】  ガスボンベの安定性を向上させるためには、ボンベと一体化した脚がボンベの底から放射状に伸びてその先端部分で設置面に接し、全体を支持すればよいことになります。本考案は先ず、ボンベと脚を一体化させるために、ボンベの底の周縁の部分のでっぱりに噛み合うように脚の部分に凹みを設けます。反対側の脚やそれと直交する方向の脚にも同じような凹みを設ける事によって、ボンベと複数の脚が一体化されます。ここで、左右の脚が１本の部材で出来ている場合には、噛み合いの部分が引っ掛かって、ボンベを上から脚に嵌め込むことは出来ません。そのため、本考案では片側だけの脚をボンベの中心軸上でピン接合し、畳んだ状態で全ての脚の凹みをボンベの底の周縁のでっぱりと噛み合わせておいて、噛み合った状態を維持しながら脚を放射状に開くことによって、ボンベと脚の一体化を図ります。放射状に伸びた脚は中央のピン接合された部分が、先端部分より高くなっており、先端部分で接地します。この事により、全体は伸びた脚の先端部分で支持されますので、安定性が格段に向上することに成ります。
【考案の効果】
【０００７】  この考案の固定脚を携帯型ボンベやカセットコンロ用ボンベに取り付けることによって安定性が向上し、お湯をこぼして火傷をしたり、ランタンを倒してテントに穴を開けたりする危険性が少なくなります。それにも増して危なっかしいバランス状態では気持ちが落ち着きませんので、確実でしっかりとした安定性を確保できることの安心感という心理的効果もあります。かつ携行性にも優れた本考案のような固定器具が、登山ブームといわれる今日、社会の求めるところと信じます。
【考案を実施するための最良の形態】
【０００８】  図１に本考案の分解図と形態型ガスボンベとの関係をを示します。４本の脚にはガスボンベの底の周縁部のでっぱりに噛み合うような凹みがつけられていて、ガスボンベの中心軸上でピンで束ねられています。その部分は曲げ耐力を保持するために、４本の脚の両側に座金を挟んでピンでかしめて固定してあります。中央の接合部分は脚の先端部よりも少し高い位置になるようにしてあり、先端部は放射状に任意の角度で開いた状態でも同一面上になるようにしてあります。そのため各脚の形状は皆異なります。携行時には畳んでコンパクトになります。使用する時には、畳んだ状態でボンベの底の周縁部のでっぱりに全ての脚の凹みを噛み合わせ、噛み合った状態を維持しながら放射状に開きます。脚はボンベと一体化され、設置したとき全体を支持する幅が広くなりますので、安定性を確保することが可能になります。また、ガタツキを直したり水平を保つために小石や小枝を挟む場合でも脚の先端部分間のスパンが大きく見やすいために確実でかつ微妙な調整が可能となります。単にガタツキを押さえるだけであれば４本のうちの２本をそろえて、３本脚の状態にすれば容易に解消することも出来ます。設置面の状況によっては、脚の開く角度が直角とか１２０度ではうまく設置できない場所もあると思われますが、脚は自由な角度で開きますので、安定性に影響のない範囲で丁度よい支持点に合わせることができます。また図１では、軽量化のために強度に影響を及ぼさない部分に穴をあけた状態を２本だけに示しています。【０００９】  ガスボンベの底の周縁部の出っ張りと言っても、製造上の誤差があるものと思いますので、脚に設けられた凹みはそれらの誤差を許容できるものでなければなりません。従って、凹みは誤差を見込んで少し大きめにつけることになります。径の小さめのボンベでは多少のガタは出ることになりますが、逸脱してしまうほど大きな誤差はないと思いますし、本来的には上から下へ荷重がかかるような状況で使用しますので大きな問題はないと思います。ただ感覚的に許せない人のために、パッキンをはさんだり、脚の凹みの部分に同じ凹みをもつスライドするケースを被せてバネで押し付けたり、或いは又凹み自体をバネで作る等の従来から良く知られた方法でガタに対処することも可能です。【００１０】  水平面を確保するために、４本の脚のうちの２本に高さ調整の出来るような機構を設けることは有効かも知れません。例えばヒンジで折り曲げて固定する方法、脚を二分割してスライドしながら角度をつける方法。等々従来からの技術で対処できる方法は色々あります。しかし、複雑な構造にするにしたがって利便性は増しますが、強度や耐久性は犠牲になります。シンプル・イズ・ベストを信条とするか利便性や多機能性を重視するかの問題となりますので、これは人それぞれということでしょう。
【図面の簡単な説明】
【００１１】
【図１】  本考案の固定脚の分解図と携帯型ガスボンベの関係を示す斜視図。
【符合の説明】
【００１２】    Ａ  脚
Ｂ  座金
Ｃ  ピン
Ｄ  携帯型ガスボンベ
【図１】
0003144357.tif 000003